(57)【要約】【課題】異なる経路から共通経路に送り込まれる媒体を安定した搬送状態でスキャナーの読取位置に送り込み可能な媒体処理装置を提案すること。【解決手段】小切手処理装置１は、小切手搬送用の後側経路Ｐ１２およびカード経路１００を選択的に共通経路である下流側経路Ｐ１３に連通させる経路切替部材２００を備えている。後側経路Ｐ１２のインクジェットヘッド４２ａのノズル面４２ｃに被せるノズルキャップ６２の開口部を封鎖するためのシャッター６５が、当該開口部を封鎖している状態では経路切替部材２００が後側経路Ｐ１２を下流側経路Ｐ１３に連通している第１位置にある。シャッター６５がノズルキャップ６２の開口部から離れた封鎖解除位置に移動すると、この移動に連動して経路切替部材２００が第１位置２００Ａから第２位置２００Ｂに切り替わり、カード経路１００が下流側経路Ｐ１３に連通する。【選択図】図１１
2013056491.tif 000002
【特許請求の範囲】
【請求項１】
第１媒体を搬送するための第１経路と、
第２媒体を搬送するための第２経路と、
前記第１経路および前記第２経路の合流点から延びている前記第１媒体および前記第２媒体を搬送するための共通経路と、
前記共通経路を通過する前記第１媒体あるいは前記第２媒体の画像を読み取るスキャナーと、
前記第１経路を通過する前記第１媒体に印刷を行うインクジェットヘッドと、
前記インクジェットヘッドのノズル面に被せて当該ノズル面を保湿状態に維持するキャッピング位置、および、前記ノズル面から離れたキャッピング解除位置に移動可能なノズルキャップと、
前記キャッピング解除位置にある前記ノズルキャップの開口部を封鎖して当該ノズルキャップの内部を保湿状態に維持する封鎖位置、および、前記開口部から離れた封鎖解除位置に移動可能なシャッターと、
前記合流点において、前記第１経路を前記共通経路に連通させる第１位置、および、前記第２経路を前記共通経路に連通させる第２位置に切り替え可能な経路切替部材とを有し、
前記経路切替部材は、前記シャッターの前記封鎖位置から前記封鎖解除位置への移動に連動して前記第１位置から前記第２位置に切り替わり、前記シャッターの前記封鎖解除位置から前記封鎖位置への移動に連動して前記第２位置から前記第１位置に切り替わることを特徴とする媒体処理装置。
【請求項２】
請求項１において、
前記ノズルキャップは、前記第１経路を挟み前記インクジェットヘッドの前記ノズル面に対峙している前記キャッピング解除位置から、前記第１経路を横切って前記ノズル面の側に前進して当該ノズル面に被せた前記キャッピング位置までの間を移動可能であり、
前記シャッターは、前記第１経路に沿って、前記キャッピング解除位置にある前記ノズルキャップの前記開口部を封鎖する前記封鎖位置から前記封鎖解除位置までの間を移動可能であり、
前記経路切替部材は、前記シャッターに対して前記第１経路に沿った方向において隣接配置されていることを特徴とする媒体処理装置。
【請求項３】
請求項２において、
前記インクジェットヘッドに対して前記第１経路を挟み対向配置されている媒体ガイドと、
前記ノズルキャップを前記インクジェットヘッドの前記ノズル面に対して進退させるために、前記媒体ガイドに形成されている媒体ガイド開口部とを有し、
前記シャッターは前記封鎖位置において前記媒体ガイド開口部を遮蔽すると共に、当該シャッターの前記第１経路に面する側のシャッター表面は前記封鎖位置において前記第１媒体をガイドする媒体ガイド面として機能し、
前記経路切替部材における前記第１経路に面する側の第１表面は、前記第１位置において、前記シャッター表面と前記共通経路における当該シャッター表面と同一の側に位置する共通経路ガイド面の間を繋ぐ媒体ガイド面として機能し、
前記経路切替部材における前記第２経路に面する側の第２表面は、前記第２位置において、前記第２経路における前記第２表面と同一の側の第２経路ガイド面と前記共通経路における当該第２経路ガイド面と同一の側に位置する共通経路ガイド面の間を繋ぐ媒体ガイド面として機能することを特徴とする媒体処理装置。
【請求項４】
請求項３において、
前記ノズルキャップは、前記第１経路に対して前記キャッピング解除位置よりも離れた後退位置から、当該キャッピング解除位置を経由して前記キャッピング位置までの間を往復移動可能であり、
前記封鎖位置にある前記シャッターに対して、前記ノズルキャップが前記後退位置から前記キャッピング解除位置まで移動すると、当該ノズルキャップが前記シャッターに当接して、当該ノズルキャップの前記開口部が封鎖された状態が形成され、
前記ノズルキャップが前記キャッピング位置にある状態、および、前記ノズルキャップが前記キャッピング位置から前記後退位置に移動するまでの間は、前記シャッターは前記封鎖解除位置に保持され、前記ノズルキャップが前記後退位置に戻ると前記シャッターは前記封鎖解除位置から前記封鎖位置に移動し、前記シャッターが前記封鎖位置に移動した後に、前記ノズルキャップは前記後退位置から前記キャッピング解除位置に前進して当該ノズルキャップの前記開口が封鎖されることを特徴とする媒体処理装置。
【請求項５】
請求項１ないし４のうちのいずれかの項において、
前記経路切替部材は、予め定めた旋回中心線回りに旋回して、前記第１位置および前記第２位置に切り替え可能であり、
前記シャッターの前記封鎖位置から前記封鎖解除位置までの間の直線往復運動を、前記経路切替部材の前記第１位置から前記第２位置までの間の旋回運動に変換するカム機構を有していることを特徴とする媒体処理装置。
【請求項６】
請求項１ないし５のうちのいずれかの項において、
前記第１経路を搬送される前記第１媒体の磁気情報を読み取る磁気読取部を有しており、
前記第１経路は小切手経路であり、
前記第２経路はカード経路であることを特徴とする媒体処理装置。
【発明の詳細な説明】
【技術分野】
【０００１】
本発明は、湾曲した搬送路に沿って搬送される媒体の画像を読み取る光学式読取部を備えた小切手処理装置等の媒体処理装置に関する。さらに詳しくは、小切手等のように曲げることが容易な第１媒体および運転免許証やカードのように曲げることが困難な第２媒体の双方から画像を読み取ることのできる媒体処理装置に関する。
【背景技術】
【０００２】
入金処理、出金処理を含む銀行業務においては、小切手を利用した決済方法が利用されている。小切手による決済方法では、銀行窓口で小切手に記載されている日時、署名などを確認し、必要な入金処理、出金処理等を行い、その後に処理済の小切手に裏書きを行う。また、当該小切手処理に関するレシートを顧客に発行する。さらに、小切手処理に当っては、本人確認のために、免許証やＩＤカードの提示を求め、必要に応じて、複写機でこれらのコピーを取って保管している。銀行窓口においては、このような処理を短時間で大量に行うことが必要である。
【０００３】
近年、これらの処理を電子的に行うことのできる小切手処理装置が提案されている。このような小切手処理装置では、小切手の磁気情報を内蔵のＭＩＣＲ（Magnetic-Ink Character Reader）で読み取り、小切手およびＩＤカードなどの画像を内蔵の光学スキャナーで読み取り、小切手の裏書きを内蔵の印刷装置で行うように構成されている。
【０００４】
この構成の装置は特許文献１において提案されている。当該特許文献１に開示のデータ読取装置は、曲げることの困難な身分証明用の免許証を、Ｕ字状に湾曲している小切手経路における直線状の経路に配置されている画像読み取りセンサーを利用して読み取ることができる。すなわち、曲げることの容易な小切手はＵ字状の小切手経路に沿って搬送され、曲げることの困難なカードは直線状のカード経路に沿って搬送され、小切手およびカードの双方が搬送される共通経路は、Ｕ字状の小切手経路における直線状の経路部分が用いられている。曲げることの容易な小切手類は、湾曲状の経路に沿って湾曲状態で搬送してスキャナーが配置されている直線状の共通経路に送り込まれるようになっている。この構成のデータ読取装置を用いれば、１台の装置で小切手処理と、その処理のために必要な本人確認処理を効率良く行うことができる。
【０００５】
一方、小切手の裏書用の印刷装置としてはスタンパーなどの簡単な機構が用いられているが、インクジェットヘッドを用いれば各種の情報を印刷することができる。インクジェットヘッドを用いる場合には、不使用状態におけるノズル詰まりを防止するためのヘッドメンテナンス機構を搭載する必要がある。ヘッドメンテナンス機構はインクジェットヘッドのノズル面をキャッピングするためのノズルキャップを備えている。この場合、特許文献２、３において提案されているように、ノズルキャップの乾燥を防止するためにノズルキャップ内を保湿するための機構も備わっていることが望ましい。
【先行技術文献】
【特許文献】
【０００６】
【特許文献１】特開２００４−２９７７６１号公報
【特許文献２】特開２００１−１８４０８号公報
【特許文献３】特開２００９−２２６７１９号公報
【発明の概要】
【発明が解決しようとする課題】
【０００７】
ここで、特許文献１に開示のデータ読取装置のように、直線状の共通経路上においてスキャナーで小切手類およびカード類の画像を読み取る場合には、小切手経路とカード経路が合流して共通経路に繋がる合流点において小切手類およびカード類が詰まる可能性がある。特に、カード類の読取動作において、合流点を経由させて共通経路およびカード経路に沿って往復移動させる場合には、カード類が合流点において詰まり易い。例えば、カード類の先端に反りが付いている場合などにおいては、共通経路から合流点を介してカード経路に送り込まれる際に、合流点においてカード経路および小切手経路を分岐させている分岐部分にカード類の先端が当り、その位置で詰まり易い。
【０００８】
また、小切手処理装置等では、装置の小型化を図っているので、小切手長に対して小切手経路を十分に長くできず、小切手は合流点を通過しながらスキャナーによる読取が行われる。同様に、カード長に対してカード経路を十分に長くできないので、カード類は合流点を通過しながらスキャナーによる読取が行われる。このため、カード類、小切手類の先端に反りあるいは折り目が付いている場合等においては、カード経路あるいは小切手経路から合流点を介して共通経路に送り込まれる際に、カード類、小切手類の搬送が不安定になり、共通経路に配置されているスキャナーの読取位置に沿って一定速度で小切手類、カード類を搬送できない場合がある。このような場合には、スキャナーによる読取画像に歪が発生し、正確に画像を読み取ることができなくなってしまう。
【０００９】
一方、小切手類の裏書のための印刷装置としてインクジェットヘッドを用いる場合には、上記のようにノズル詰まりを防止するためにヘッドメンテナンス機構（ノズルキャップ）が必要になる。ノズルキャップが乾くとノズル詰まりの原因になるので、ノズルキャップを保湿するための機構を配置する必要がある。このような機構を配置することは、装置の小型化にとっては好ましくない。
【００１０】
本発明の課題は、異なる経路から共通経路に送り込まれる媒体の画像を共通のスキャナーで読み取る際に、媒体を安定した搬送状態でスキャナーの読取位置に送り込むことのできる媒体処理装置を提案することにある。
【００１１】
また、本発明の課題は、媒体印刷装置としてインクジェットヘッドを備え、当該インクジェットヘッドのヘッドメンテナンス機構の動きを利用した小型でコンパクトな機構により、異なる経路から共通経路の画像読取位置に向けて媒体を安定した搬送状態で送り込むことのできる媒体処理装置を提案することにある。
【課題を解決するための手段】
【００１２】
上記の課題を解決するために、本発明の媒体処理装置は、
第１媒体を搬送するための第１経路と、
第２媒体を搬送するための第２経路と、
前記第１経路および前記第２経路の合流点から延びている第１媒体および第２媒体を搬送するための共通経路と、
前記共通経路を通過する前記第１媒体あるいは前記第２媒体の画像を読み取るスキャナーと、
前記第１経路を通過する前記第１媒体に印刷を行うインクジェットヘッドと、
前記インクジェットヘッドのノズル面に被せて当該ノズル面を保湿状態に維持するキャッピング位置、および、前記ノズル面から離れたキャッピング解除位置に移動可能なノズルキャップと、
前記キャッピング解除位置にある前記ノズルキャップの開口部を封鎖して当該ノズルキャップの内部を保湿状態に維持する封鎖位置、および、前記開口部から離れた封鎖解除位置に移動可能なシャッターと、
前記合流点において、前記第１経路を前記共通経路に連通させる第１位置、および、前記第２経路を前記共通経路に連通させる第２位置に切り替え可能な経路切替部材とを有し、
前記経路切替部材は、前記シャッターの前記封鎖位置から前記封鎖解除位置への移動に連動して前記第１位置から前記第２位置に切り替わり、前記シャッターの前記封鎖解除位置から前記封鎖位置への移動に連動して前記第２位置から前記第１位置に切り替わることを特徴としている。
【００１３】
本発明の媒体処理装置では、ノズルキャップがキャッピング解除位置にあり、シャッターが封鎖位置にあり、したがって、シャッターに連動する経路切替部材が第１位置に切り替えられた状態において、第１経路に沿って搬送される第１媒体に対してインクジェットヘッドによって印刷が行われ、印刷後の第１媒体は第１経路から共通経路に送り込まれる。また、共通経路に送り込まれた第１媒体の画像が、共通経路上のスキャナーによって読み取られる。第１経路および第２経路の合流点において、経路切替部材によって第１経路が共通経路に連通した状態が形成されているので、当該合流点において第１媒体の詰まりが発生することがなく、また、第１媒体は合流点を円滑に通過する。よって、第１媒体がインクジェットヘッドによる印刷が行われながら合流点を通過する場合に、当該第１媒体が一定の搬送速度で搬送されるので、印刷に乱れが生ずることがない。また、第１媒体が合流点を通過しながら共通経路上においてスキャナーで画像の読取が行われる場合においても、当該第１媒体が一定の搬送速度で搬送されるので読取画像に歪などの乱れが生ずることがない。
【００１４】
一方、第１媒体の搬送、印刷、画像読取が行われない場合には、ノズルキャップがキャッピング位置にあり、シャッターが封鎖解除位置にあり、したがって、シャッターに連動する経路切替部材が第２位置に切り替えられた状態になる。この状態において、第２経路および共通経路に沿って第２媒体を搬送して当該第２媒体の画像をスキャナーで読み取る場合には、第１経路および第２経路の合流点において、経路切替部材によって第２経路が共通経路に連通した状態が形成されているので、当該合流点において第２媒体の詰まりが発生することがなく、また、第２媒体は合流点を円滑に通過することができる。よって、第２媒体が合流点を通過しながら共通経路上においてスキャナーで画像の読取が行われる場合に、当該第２媒体が一定の搬送速度で搬送されるので読取画像に歪などの乱れが生ずることがない。
【００１５】
また、本発明の媒体処理装置では、経路切替部材の切り替えが、シャッターに連動して行われる。したがって、経路切替部材の位置を切り替えるための機構を別途設ける必要がない。また、経路切替部材の切り替え制御を、シャッター、すなわちインクジェットヘッドのヘッドメンテナンス機構とは別個に行う場合には、誤動作によって、シャッターが封鎖位置にある（換言すると、第１経路に沿って第１媒体を搬送してインクジェットヘッドによって印刷する状態にある）にも拘わらず、経路切替部材が第２媒体を通すための第２位置に切り替わった状態のままとなってしまうことがある。本発明ではシャッターの動きに連動させて経路切替部材を切り替えているので、このような誤動作の発生を大幅に抑制できる。
【００１６】
さらに、本発明の媒体処理装置では、インクジェットヘッドのノズル面をキャッピングしていない状態において、ノズルキャップの開口部をシャッターによって封鎖することにより、ノズルキャップ内からの水分の蒸散を防止している。よって、保湿手段や洗浄手段を用いることなくノズルキャップ内を適切な保湿状態に維持することができる。また、保湿手段、洗浄手段のように、保湿液、洗浄液のタンク、タンクから保湿液、洗浄液を供給する供給機構、ノズルキャップに供給された保湿液、洗浄液の回収機構などを設ける場合とは異なり、シャッターおよび当該シャッターを移動させるための機構を配置するだけでよいので、インクジェット印刷装置の設置スペースの増加を抑制できる。よって、小型・コンパクト化の要求の高い媒体処理装置に用いるのに適している。
【００１７】
本発明の媒体処理装置において、前記ノズルキャップは、前記第１経路を挟み前記インクジェットヘッドの前記ノズル面に対峙している前記キャッピング解除位置から、前記第１経路を横切って前記ノズル面の側に前進して当該ノズル面に被せた前記キャッピング位置までの間を移動可能であり、前記シャッターは、前記第１経路に沿って、前記キャッピング解除位置にある前記ノズルキャップの前記開口部を封鎖する前記封鎖位置から前記封鎖解除位置までの間を移動可能であり、前記経路切替部材は、前記シャッターに対して前記第１経路に沿った方向において隣接配置されていることを特徴としている。
【００１８】
第１媒体の搬送路である第１経路は、当該第１経路に沿って配置された媒体ガイド板などによって規定されるので、媒体ガイド板の裏面側に沿ってシャッターの設置スペースおよび移動スペースを確保することが容易である。また、第１経路に沿って経路切替部材をシャッターに対して隣接配置しておくことにより、シャッターの第１経路に沿った方向の移動を利用して経路切替部材を第１位置および第２位置に切り替える連動機構を簡単な機構で設置スペースを多く必要とすることなく設置できる。
【００１９】
次に、本発明の媒体処理装置は、
前記インクジェットヘッドに対して前記第１経路を挟み対向配置されている媒体ガイドと、
前記ノズルキャップを前記インクジェットヘッドの前記ノズル面に対して進退させるために、前記媒体ガイドに形成されている媒体ガイド開口部とを有し、
前記シャッターは前記封鎖位置において前記媒体ガイド開口部を遮蔽すると共に、当該シャッターの前記第１経路に面する側のシャッター表面は前記封鎖位置において前記第１媒体をガイドする媒体ガイド面として機能し、
前記経路切替部材における前記第１経路に面する側の第１表面は、前記第１位置において、前記シャッター表面と前記共通経路における当該シャッター表面と同一の側に位置する共通経路ガイド面の間を繋ぐ媒体ガイド面として機能し、
前記経路切替部材における前記第２経路に面する側の第２表面は、前記第２位置において、前記第２経路における前記第２表面と同一の側の第２経路ガイド面と前記共通経路における当該第２経路ガイド面と同一の側に位置する共通経路ガイド面の間を繋ぐ媒体ガイド面として機能することを特徴としている。
【００２０】
ノズルキャップを、第１経路を挟み、インクジェットヘッドのノズル面に対向配置した場合には、ノズルキャップをインクジェットヘッドのノズル面に対して進退させるために、インクジェットヘッドのノズル面に対峙している媒体ガイドには媒体ガイド開口部が形成される。媒体ガイド開口部が第１経路に露出した状態で第１媒体が搬送されると、第１媒体の端などが媒体ガイド開口部の縁に引掛り、インクジェットヘッドの印刷位置において媒体詰まりが発生しやすい。
【００２１】
本発明によれば、媒体ガイド開口部をシャッターによって封鎖すると共に、当該シャッターによって第１媒体をガイドすることで、このような弊害を確実に防止できる。また、シャッターは、ノズルキャップを保湿状態に維持するための封鎖部材、媒体ガイド開口部を遮蔽するための遮蔽部材、および、印刷位置を通過する媒体をガイドする媒体ガイド（プラテン）として機能するので、複数の部材を用いる場合に比べて、機構が簡単になり、設置スペースが少なくて済み、製造コストの増加も抑制できる。
【００２２】
さらに、シャッターに隣接配置されている経路切替部材の第１表面によって、シャッター表面と共通経路の同一側のガイド面の間が繋がれた状態になるので、これらの表面に沿って第１媒体を円滑に第１経路から共通経路にガイドすることができる。また、経路切替部材を第２位置に切り替えた場合には、その第２表面によって、第２経路の同一側のガイド面と共通経路の同一側のガイド面の間が繋がれた状態になるので、これらの表面に沿って第２媒体を円滑に第２経路から共通経路にガイドすることができる。
【００２３】
次に、本発明の媒体処理装置では、
前記ノズルキャップは、前記第１経路に対して前記キャッピング解除位置よりも離れた後退位置から、当該キャッピング解除位置を経由して前記キャッピング位置までの間を往復移動可能であり、
前記封鎖位置にある前記シャッターに対して、前記ノズルキャップが前記後退位置から前記キャッピング解除位置まで移動すると、当該ノズルキャップが前記シャッターに当接して、当該ノズルキャップの前記開口部が封鎖された状態が形成され、
前記ノズルキャップが前記キャッピング位置にある状態、および、前記ノズルキャップが前記キャッピング位置から前記後退位置に移動するまでの間は、前記シャッターは前記封鎖解除位置に保持され、前記ノズルキャップが前記後退位置に戻ると前記シャッターは前記封鎖解除位置から前記封鎖位置に移動し、前記シャッターが前記封鎖位置に移動した後に、前記ノズルキャップは前記後退位置から前記キャッピング解除位置に前進して当該ノズルキャップの前記開口が封鎖されることを特徴としている。
【００２４】
このようにすれば、シャッターは媒体搬送方向にスライドさせるだけで良く、スライド方向とは異なる方向に向けてノズルキャップに対して接近および離すために移動させる必要がない。よって、シャッターを駆動するための機構を簡単な機構にでき、そのための設置スペースも少なくて済む。
【００２５】
次に、経路切替部材をシャッターに連動させるための機構としてはカム機構を用いることができる。例えば、経路切替部材を、予め定めた旋回中心線回りに旋回して、前記第１位置および前記第２位置に切り替え可能とし、カム機構によって、前記シャッターの前記封鎖位置から前記封鎖解除位置までの間の直線往復運動を、前記経路切替部材の前記第１位置から前記第２位置までの間の旋回運動に変換することができる。
【００２６】
一方、本発明の媒体処理装置は、身元認証等のために用いるカードスキャン機能を備えた小切手処理装置に適用することができる。この場合には、第１経路には第１媒体の磁気情報を読み取るための磁気読取部が配置され、前記第１経路は小切手類が搬送される小切手経路であり、前記第２経路はカード類が搬送されるカード経路である。
【図面の簡単な説明】
【００２７】
【図１】本発明の小切手処理装置を示す斜視図である。
【図２】図１の小切手処理装置の上面の二つのカバーを開けた状態の斜視図である。
【図３】図１の小切手処理装置を上方から見た場合の斜視図である。
【図４】図１の小切手処理装置の小切手搬送機構を主に示す構成図である。
【図５】図１の小切手処理装置のレシート発行機構を示す縦断面図である。
【図６】図１の小切手処理装置の印刷部を示す説明図である。
【図７】シャッターが封鎖解除位置にあるヘッドメンテナンス機構の説明図である。
【図８】シャッターが封鎖位置にあるヘッドメンテナンス機構の説明図である。
【図９】キャッピング状態の印刷部を示す説明図である。
【図１０】ノズルキャップが後退位置にある状態の説明図である。
【図１１】シャッターによってノズルキャップが封鎖されている状態の説明図である。
【図１２】ノズルキャップ、シャッター、経路切替部材の動作のフローチャートである。
【図１３】キャッピング駆動機構、シャッター駆動機構の概略構成図である。
【図１４】図１３の機構を背面側から見た場合の概略構成図である。
【図１５】円筒カムのカム溝のカム面形状を示す説明図である。
【図１６】円筒カムの回転に伴う各部の動きを示す円筒カム線図である。
【図１７】印刷開始後の円筒カムの回転に伴う各部動作の概略フローチャートである。
【図１８】円筒カムが５０°の回転位置にある状態を示す概略構成図である。
【図１９】円筒カムが１６０°の回転位置にある状態を示す概略構成図である。
【図２０】円筒カムが２９７°の回転位置にある状態を示す概略構成図である。
【図２１】シャッターによる経路切替部材の連動機構の例を示す概略構成図である。
【発明を実施するための形態】
【００２８】
以下に、図面を参照して、本発明を適用した媒体処理装置の実施の形態を説明する。本実施の形態に係る媒体処理装置は、曲げることの容易な第１媒体である小切手を処理する小切手処理装置である。また、小切手処理装置には、小切手処理に当っての本人確認などのために曲げることの困難な第２媒体である運転免許証やその他のカードの画像情報を読み取るカードスキャン機構と、小切手の処理済情報などが印刷されたレシートを発行するレシート発行機構とが備わっている。なお、本発明は、小切手以外の曲げることの容易な第１媒体を処理する媒体処理装置に対しても同様に適用できることは勿論である。また、レシート発行機構の備わっていない媒体処理装置に対しても適用可能なことは勿論である。
【００２９】
（全体構成）
図１は本実施の形態に係る小切手処理装置を前方右側の斜め上方から見た場合の斜視図である。図２は小切手処理装置を前方左側の斜め上方から見た場合の斜視図であり、上面に配置されている前後のカバーを開けた状態のものである。また、図３は小切手処理装置を上方前側から見た場合の斜視図である。
【００３０】
これらの図を参照して説明すると、小切手処理装置１の装置筐体１ａは、矩形輪郭をした一定厚さの下側筐体部２と、この上に配置されている上側筐体部３とを備えている。上側筐体部３には、処理対象の小切手Ｓ１を挿入する入口ポケット４と、入口ポケット４から送り出される小切手Ｓ１を搬送する小切手経路Ｐ１（第１経路）と、小切手経路Ｐ１から送り出される小切手Ｓ１を回収する回収ポケット５が形成されている。小切手経路Ｐ１に沿って搬送される間に、小切手Ｓ１の磁気情報の読み取り、小切手Ｓ１の裏書き印刷、および小切手Ｓ１の両面の画像情報の読み取りがこの順序で行われる。
【００３１】
なお、以下の説明においては、図１に示すように、小切手処理装置１を水平な平面に正立状態で置いた通常の使用状態において、当該小切手処理装置１（装置筐体１ａ）における操作者の側に向ける側を前面とし、反対側を後面とすると、これら前面および後面が位置する方向を装置前後方向Ｙとし、平面に平行で装置前後方向Ｙに直交する方向を装置幅方向Ｘとし、平面に垂直な方向を装置上下方向Ｚとする。
【００３２】
入口ポケット４から小切手経路Ｐ１を経由して回収ポケット５に至る小切手の搬送経路は、上側筐体部３に形成した装置上下方向Ｚの上方に開口している所定幅の縦溝によって規定されている。小切手Ｓ１は、図１に示すように、その長辺縁が上下となる立てた状態で入口ポケット４に挿入され、その状態のまま小切手経路Ｐ１を搬送されて回収ポケット５に排出される。この小切手の搬送経路は平面視で装置前方に開く略Ｕ字形状の経路である。
【００３３】
すなわち、図３から分かるように、入口ポケット４は上側筐体部３における装置幅方向Ｘの右側の前端から装置後方に延びており、この入口ポケット４の装置後端に形成されている小切手挿入口４ａからは、小切手経路Ｐ１の上流側経路Ｐ１１が装置後方に向けて直線状に延びている。上流側経路Ｐ１１の下流端部分は装置幅方向Ｘの内側に向けて湾曲して、小切手経路Ｐ１の後側経路Ｐ１２に繋がっている。後側経路Ｐ１２は装置幅方向にほぼ直線状に延びており、その下流端部分は装置前方に向けて湾曲して、小切手経路Ｐ１の下流側経路Ｐ１３に繋がっている。下流側経路Ｐ１３は直線状経路であり、装置前後方向Ｙに対して装置幅方向の内側に鋭角θで傾斜した方向、例えば１０〜２０度程度傾斜した方向に延びている。下流側経路Ｐ１３の下流端は小切手排出口５ａを介して回収ポケット５に繋がっている。回収ポケット５は装置前後方向Ｙに沿って装置前端まで延びている。
【００３４】
上側筐体部３は、このＵ字形状の小切手の搬送経路によって、右側筐体部分６、後側筐体部分７および左側筐体部分８と、これらの内側に位置する内側筐体部分９に分かれている。内側筐体部分９の上面には、前側カバー１１、後側カバー１２、後述のレシート発行機構のレシート発行口１３および操作面１４が配置されている。また、後述のカードスキャン機構による読み取り対象のカードＣを挿入するためのカード挿入路１５が形成されている。
【００３５】
図２から分かるように、前側カバー１１は装置前端側の部位を中心として装置前方に開けることができ、後側カバー１２は装置後端側の部位を中心として装置後方に開けることができる。レシート発行口１３は、前側カバー１１の開閉側の縁と後側カバー１２の開閉側の縁との間に形成されており、装置幅方向に細長い矩形状をしている。操作面１４は、後側カバー１２の左側における装置後側部分に形成されており、一段高い位置に形成されたほぼ平坦な面であり、ここには、複数の操作スイッチ１４ａ、動作表示用の複数のＬＥＤ表示部１４ｂなどが配列されている。
【００３６】
内側筐体部分９における後側カバー１２によって覆われている部分には、ロール紙収納部１６が設けられている。後側カバー１２を開けるとロール紙収納部１６が装置上方に開口し、不図示のロール紙の交換作業などを行うことができる。内側筐体部分９の前側カバー１１によって覆われている部分には、ロール紙収納部１６に収納したロール紙から繰り出された連続紙を幅方向に切断するためのオートカッター１７が配置されている。ロール紙収納部１６に収納されたロール紙から繰り出される連続紙に小切手情報に対応する情報などが印刷され、印刷された部分の後端が切断されて所定長さのレシートとしてレシート発行口１３から発行される。また、オートカッター１７の装置前側にはインクカートリッジ装着部１８が配置されており、ここには小切手印刷用のインク供給源であるインクカートリッジ１９が装着されている。前側カバー１１を開けると、オートカッター１７の駆動ユニット１７ｃが露出すると共に、インクカートリッジ装着部１８が上方に開口するので、オートカッター１７の点検作業等やインクカートリッジの交換作業などを装置上方から簡単に行うことができる。
【００３７】
一方、カード挿入路１５は、図２、図３から分かるように、内側筐体部分９の上面における前側カバー１１の左側の平坦な装置上面部分２０に形成されている。装置上面部分２０は、その後側の操作面１４に比べて低い位置にある。カード挿入路１５は、この装置上面部分２０において、装置上方に開口している一定幅で一定深さの直線状の溝である。カード挿入路１５の装置後側の後端は、小切手経路Ｐ１の下流側経路Ｐ１３における装置前方に開口している下流端開口Ｐ１３ａにおける上側の部分に繋がっており、その装置前側の前端は前側カバー１１の側縁近傍に位置している。また、カード挿入路１５は、図３から分かるように、直線状搬送路である下流側経路Ｐ１３の装置前方への延長線に沿って延びる直線状の挿入路である。すなわち、装置前後方向Ｙに対して装置内側に鋭角θで傾斜した方向に延びている。
【００３８】
また、下流側経路Ｐ１３の後側には、当該下流側経路Ｐ１３の装置後方への延長線に沿って延びる直線状のカード経路１００が形成されており、このカード経路１００の後端は後方に開口している。このカード経路１００の装置前側の端は、小切手経路Ｐ１における後側経路Ｐ１２における小切手搬送方向の下流端の合流点Ｍで合流して下流側経路Ｐ１３に繋がっている。このように、カード挿入路１５、下流側経路Ｐ１３およびカード経路１００によって、直線状に延びるカードＣの経路が形成されており、下流側経路Ｐ１３は小切手Ｓ１およびカードＣを搬送するための共通経路とされている。
【００３９】
曲げることの困難なカードＣの画像情報を読み取る場合には、図２に示すように、当該カードＣをカード挿入路１５に対して装置前側から挿入して装置後方に押し込む。カード挿入路１５に押し込まれたカードＣは、カード挿入路１５から下流側経路Ｐ１３を通ってカード経路１００に送り込まれる間にカード長が検出される。次に、カード経路１００から下流側経路Ｐ１３を通ってカード挿入路１５に送り出される間に、下流側経路Ｐ１３に配置されている後述の小切手読取用の光学式読取部４３（図４参照）によって画像情報が読み取られる。
【００４０】
なお、本例の小切手処理装置１では、曲げることの困難なカードＣの磁気情報を読み取るためのカードスロット２１も形成されている。カードスロット２１は上側筐体部３の右側筐体部分６の上面部分に形成されている。この右側筐体部分６の内部には不図示の磁気読取部が配置されており、カードＣを当該カードスロット２１に沿って引き抜くことにより、カードＣに担持されている磁気情報が読み取られる。
【００４１】
（内部構成）
図４はＵ字状の小切手の搬送経路に沿って小切手Ｓ１を搬送するための小切手搬送機構を中心に示す小切手処理装置１の内部構成図である。この図を参照して小切手処理装置１の内部構成を、小切手搬送機構を中心に説明する。まず、入口ポケット４には、その右側筐体部分６の側の側面に給紙ローラー３０ａが配置され、内側筐体部分９の側の側面に押圧部材３０ｂが配置されている。押圧部材３０ｂは入口ポケット４に挿入された小切手Ｓ１を給紙ローラー３０ａの側に押圧する。送り出しモーター２２により駆動される給紙ローラー３０ａによって小切手Ｓ１は小切手経路Ｐ１の上流側経路Ｐ１１に送り出される。本例では、小切手Ｓ１は、その裏面が装置内側（内側筐体部９の側）を向くように、入口ポケット４に立てた状態で挿入される。
【００４２】
小切手経路Ｐ１の上流側経路Ｐ１１には、入口ポケット４から送り出された小切手Ｓ１を送り出す送り出しローラー３１ｂと、上流側経路Ｐ１１を介して当該送り出しローラー３１ｂに向かい合うリタードローラー３１ａとが設けられている。送り出しローラー３１ｂは、送り出しモーター２２により駆動され、給紙ローラー３０ａと同期して回転される。リタードローラー３１ａは送り出しローラー３１ｂの側に付勢されており、小切手Ｓ１を一枚ずつ分離しながら下流側に送り出す。
【００４３】
小切手経路Ｐ１における送り出しローラー３１ｂの下流側の搬送路部分には、複数の搬送ローラー対３２〜３６が配置されている。上流側経路Ｐ１１には搬送ローラー対３２が配置されており、後側経路Ｐ１２には搬送ローラー対３３、３４が配置されており、下流側経路Ｐ１３には残りの搬送ローラー対３５、３６が配置されている。これらの搬送ローラー対３２〜３６はそれぞれ、内側筐体部分９の側に配置されている駆動ローラー３２ａ、３３ａ、３４ａ、３５ａ、３６ａと、外側の右側筐体部分６、後側筐体部分７および左側筐体部分８の側において、小切手経路Ｐ１を介して対向するように設けられた従動ローラー３２ｂ、３３ｂ、３４ｂ、３５ｂ、３６ｂとを備えている。駆動ローラー３２ａ、３３ａ、３４ａ、３５ａ、３６ａは、無端ベルト３７を介して、駆動モーター４０によりそれぞれが同期して回転駆動される。また、従動ローラー３２ｂ、３３ｂ、３４ｂ、３５ｂ、３６ｂは、不図示の付勢部材により、対向する駆動ローラー３２ａ〜３６ａの側に付勢されている。
【００４４】
小切手経路Ｐ１の上流側経路Ｐ１１には磁気読取部４１が配置されている。磁気読取部４１は、小切手Ｓ１に磁気インク等で書き込まれた磁気情報を読み取り可能な磁気スキャナー４１ａを備え、磁気スキャナー４１ａは、その磁気読取面が上流側経路Ｐ１１の側を向く姿勢で右側筐体部分６に配置されている。また、磁気スキャナー４１ａの磁気読取面には、上流側経路Ｐ１１を挟み、押し付けローラー４１ｂが対向配置されている。押し付けローラー４１ｂによって、搬送される小切手Ｓ１が磁気スキャナー４１ａの磁気読取面に押し付けられて、磁気スキャナー４１ａによって確実に磁気情報が読み取られる。
【００４５】
上流側経路Ｐ１１の下流端に連続して装置幅方向に延びている後側経路Ｐ１２には、その装置左隅の側の部分に、小切手Ｓ１の裏面に裏書き印刷を行う印刷部４２が設けられている。印刷部４２は装置上下方向に延びる状態に配置されたライン型のインクジェットヘッド４２ａを備え、当該インクジェットヘッド４２ａのノズル面が後側経路Ｐ１２の側を向く状態に配置されている。後側経路Ｐ１２を挟み、このノズル面に対峙する後側筐体部分７の部位には、インクジェットヘッド４２ａのヘッドメンテナンス機構４２ｂが配置されている。インクジェットヘッド４２ａのインク供給源は、図２を参照して説明したように、インクカートリッジ装着部１８に装着したインクカートリッジ１９である。本例のようにライン型のヘッドを用いると、シリアル型のヘッドを用いる場合に比べて、当該印刷部４２をコンパクトに形成できるので好ましい。
【００４６】
小切手経路Ｐ１の後側経路Ｐ１２とカード経路１００の合流点Ｍには、ヘッドメンテナンス機構４２ｂに連動して切り替わる経路切替部材２００が配置されている。詳細については後述するが、経路切替部材２００は、後側経路Ｐ１２を下流側経路Ｐ１３（共通経路）に連通させた第１位置と、カード経路１００を下流側経路Ｐ１３（共通経路）に連通させた第２位置に切り替え可能である。本例では、第１位置においては、カード経路１００が封鎖され、第２位置においては後側経路Ｐ１２の下流端が封鎖された状態になる。
【００４７】
次に、下流側経路Ｐ１３（共通経路）には、搬送ローラー対３５、３６が配置されており、これらの間の搬送路部分には、小切手Ｓ１の両面の画像情報を読み取る光学式読取部４３が設けられている。光学式読取部４３は、小切手Ｓ１の裏面読取用の光学スキャナー４３ａと表面読取用の光学スキャナー４３ｂとを備えており、互いの読取面が下流側経路Ｐ１３を挟んで向かい合うように設けられている。
【００４８】
下流側経路Ｐ１３の下流端は、磁気情報の読取、裏書き印刷、および画像情報の読取が終了した処理済みの小切手Ｓ１を回収ポケット５に排出する小切手排出口５ａに繋がっている。回収ポケット５は上方に開口しており、当該回収ポケット５に回収された小切手Ｓ１を上方から取り出すことができる。入口ポケット４および回収ポケット５のいずれもが上方に開口しているので、操作者は常に小切手処理装置１の手前上方から小切手Ｓ１を扱うことができる。
【００４９】
（レシート発行機構）
次に、図５は小切手処理装置１の縦断面図である。この図を主に参照して上側筐体部３の内側筐体部分９に組み込まれているレシート発行機構を説明する。レシート発行機構は先に述べたロール紙Ｒが収納されるロール紙収納部１６を備えている。ロール紙収納部１６は、ロール紙Ｒを装置幅方向に横置き姿勢で転動自在の状態に収納するものである。ロール紙Ｒから繰り出される連続紙Ｓ２をレシート発行口１３に導く連続紙搬送路Ｐ２は、その搬送路幅方向が装置幅方向を向く状態で、ロール紙収納部１６から装置前方に延びている。
【００５０】
ロール紙収納部１６は、その底面が凹円弧状断面の底板５１によって規定されており、その天面開口が後側カバー１２によって封鎖されている。後側カバー１２の後端部は装置幅方向に延びる回動中心線を中心軸線とするヒンジ５２によって支持されており、このヒンジ５２を中心として開閉することができる。
【００５１】
ロール紙収納部１６のロール紙Ｒから繰り出される連続紙Ｓ２は、底板５１の装置前側の縁部分に取り付けた紙ガイド５３によって前方に案内され、連続紙印刷部５４に導かれる。なお、ロール紙収納部１６の底部にロール紙Ｒの回転摩擦抵抗を軽減するために回転自在なガイドローラーを取り付け、この上にロール紙Ｒを載せるようにしてもよい。
【００５２】
連続紙印刷部５４は、ライン型のサーマルヘッド５４ａと、このサーマルヘッド５４ａのヘッド面に連続紙Ｓ２を押し付けながら搬送するプラテンローラー５４ｂとを備えている。本例では、内側筐体部分９の側にサーマルヘッド５４ａが取り付けられ、プラテンローラー５４ｂは後側カバー１２の先端側の部位に搭載されている。
【００５３】
連続紙印刷部５４の上側にはオートカッター１７が配置されている。オートカッター１７は固定刃１７ａと、可動刃１７ｂを備えた駆動ユニット１７ｃからなる。固定刃１７ａは後側カバー１２の側に搭載されており、可動刃１７ｂおよび駆動ユニット１７ｃは内側筐体部分９の側に搭載されている。連続紙Ｓ２は、連続紙印刷部５４の印刷位置を経由した後にオートカッター１７の切断位置を通り、その上側に開口しているレシート発行口１３から上方に排出される。
【００５４】
（カードスキャン機構）
小切手処理装置１はカード挿入路１５から挿入されるカードＣの画像情報を読み取るためのカードスキャン機構を備えている。図４を参照して説明すると、カードスキャン機構のカードの搬送経路は、カード挿入路１５と下流側経路Ｐ１３（共通経路）とカード経路１００からなる。カード挿入路１５には、ここに挿入されたカードＣを検出するカードセンサー５７が配置されている。カードセンサー５７として、ホトカプラーなどの光学式センサー、メカニカルスイッチなどのセンサーを用いることができる。
【００５５】
カードセンサー５７によってカードＣがカード挿入路１５に挿入されたことが検出されると、小切手搬送機構の下流側経路Ｐ１３に配置されている搬送ローラー対３５、３６が回転して、カード挿入路１５から挿入されたカードＣを下流側経路Ｐ１３からカード経路１００に送り込むカード送り込み動作と、送り込まれたカードＣを装置前方側に送り出してカード挿入路１５に戻すカード送り出し動作が行われる。また、カード経路１００から下流側経路Ｐ１３を通ってカード挿入路１５に送り出されるカードＣの画像を、小切手読取用の光学式読取部４３を利用して読み取るカード画像読み取り動作が行われる。
【００５６】
（小切手処理装置の制御系および動作）
小切手処理装置１の動作はＭＰＵ等の制御部６１によって制御される。制御部６１は、図４に示すように、下側筐体部２の上面に配置した基板６０に搭載されている。単一の制御部６１により小切手処理装置１の小切手搬送機構、レシート発行機構およびカードスキャン機構を制御することにより、例えばドライバーのアップデートなどのメンテナンス性が向上する。なお、制御部６１は、図４に示すように基板６０の上面に設けるほか、基板６０の裏面（小切手経路Ｐ１が形成される側とは反対側）に、制御基板として取り付けても良い。
【００５７】
小切手Ｓ１が装置前側から入口ポケット４に挿入されると、制御部６１は小切手搬送機構の送り出しモーター２２を駆動制御して小切手Ｓ１を給紙ローラー３０ａ等により小切手経路Ｐ１に送り出す。これに同期させて駆動モーター４０を駆動制御してリタードローラー３１ａと送り出しローラー３１ｂにより小切手Ｓ１を一枚ずつ上流側経路Ｐ１１に沿って搬送する。
【００５８】
制御部６１は、小切手Ｓ１が上流側経路Ｐ１１を搬送されてくると、まず磁気読取部４１を制御して小切手Ｓ１の磁気情報を読み取り、読み取られた磁気情報を取得する。次に制御部６１は、印刷部４２により小切手Ｓ１の裏面に裏書き印刷を実行する。また、制御部６１は光学式読取部４３を制御して小切手Ｓ１の両面の画像を読み取り、読み取られた画像情報を取得する。さらに、画像情報が読み取られた小切手Ｓ１は搬送ローラー対３６により回収ポケット５に排出される。
【００５９】
このように、小切手処理装置１の小切手搬送機構によれば、磁気情報の読み取り、裏書き印刷、画像情報の読み取りといった一連の処理を一括して行うことができるので、ユーザーの負担を軽減することができる。
【００６０】
また、制御部６１はレシート発行機構の送り出しモーター２２を制御してプラテンローラー５４ｂを回転駆動し、ロール紙Ｒから連続紙Ｓ２を繰り出して連続紙搬送路Ｐ２に沿って送り出す。送り出された連続紙Ｓ２はサーマルヘッド５４ａとプラテンローラー５４ｂの間を通って搬送される間に、制御部６１の制御のもとに必要な情報が連続紙Ｓ２に印刷される。印刷された連続紙Ｓ２は更にプラテンローラー５４ｂによってレシート発行口１３から装置外部に排出される。連続紙Ｓ２における印刷済の先端部分が排出されて、印刷部分の後端がオートカッター１７の切断位置に至ると連続紙Ｓ２の搬送が停止され、制御部６１によってオートカッター１７が駆動されて連続紙Ｓ２の印刷部分が幅方向に切断されて切り取られる。切り取られた一定長さの印刷済のシート片がレシートとして発行される。
【００６１】
さらに、制御部６１はカード挿入路１５にカードＣが挿入されたことをカードセンサー５７からの出力によって検出すると、小切手搬送機構の駆動モーター４０を駆動制御して小切手搬送用の搬送ローラー対３５、３６を駆動して、カード挿入路１５に挿入されたカードＣを下流側経路Ｐ１３に送り込むカード送り込み動作を行わせる。カード送り込み動作時にカードＣの搬送方向の長さ寸法がカードセンサー５７の出力に基づき検出される。
【００６２】
カードＣの送り込み方向の後端が光学式読取部４３の読取位置を通過し終えた時点でカード送り込み動作を終了し、次に、搬送ローラー対３５、３６を逆方向に回転駆動して、カードＣを送り出すカード送り出し動作を開始する。カード送り出し動作において、光学式読取部４３を駆動して、その読取位置を通過するカードＣの表裏の画像情報の読み取り動作を行わせる。カードＣの送り出し方向の後端がカードセンサー５７によって検出されると、所定量だけカードＣを送り出した後にカード送り出し動作を終了させる。このようにして、カードＣの画像情報が読み取られる。
【００６３】
ここで、小切手Ｓ１を小切手経路Ｐ１に沿って搬送する小切手処理動作においては、小切手経路Ｐ１の後側経路Ｐ１２とカード経路１００の合流点Ｍに配置されている経路切替部材２００が第１位置に切り替えられ、後側経路Ｐ１２と下流側経路Ｐ１３が連通し、カード経路１００と下流側経路Ｐ１３の間は遮断される。逆に、カードＣをカード挿入路１５に挿入してカードスキャン動作を行う場合には、経路切替部材２００が第２位置に切り替わり、カード経路１００が下流側経路Ｐ１３と連通し、後側経路Ｐ１２と下流側経路Ｐ１３の間は遮断される。本例では、経路切替部材２００の切り替えは、後述のように、ヘッドメンテナンス機構４２ｂのシャッター６５の動きに連動して行われる。以下に、印刷部４２のヘッドメンテナンス機構４２ｂおよび経路切替部材２００の構成および動作を説明する。
【００６４】
（ヘッドメンテナンス機構と経路切替部材）
図６は、印刷部４２におけるインクジェットヘッド４２ａおよびヘッドメンテナンス機構４２ｂの周辺部を取り出して示す説明図である。印刷部４２のヘッドメンテナンス機構４２ｂは、インクジェットヘッド４２ａのノズル面４２ｃを封止するノズルキャップ６２、ノズルキャップ６２が収納されているノズルキャップ収納部６３、および、ノズルキャップ６２の開口部を封鎖するためのシャッター６５を備えている。ノズルキャップ６２は、キャッピング駆動機構６４によって、ノズルキャップ収納部６３に収納された後退位置からキャッピング解除位置を経由して、インクジェットヘッド４２ａのノズル面４２ｃを封止したキャッピング位置までの間を往復移動する。シャッター６５はシャッター駆動機構６６によって、ノズルキャップ収納部６３の開口部を封鎖する封鎖位置（ノズルキャップ６２の開口部を封鎖する封鎖位置）から、当該開口部から離れた封鎖解除位置（ノズルキャップ６２の開口部から離れた封鎖解除位置）までの間を往復移動する。これらキャッピング駆動機構６４およびシャッター駆動機構６６によるノズルキャップ６２、シャッター６５の移動は制御部６１によって制御される。
【００６５】
図７はシャッター６５が封鎖解除位置６５Ｂにあるときのヘッドメンテナンス機構４２ｂおよび経路切替部材２００を示す説明図であり、図８はシャッター６５が封鎖位置６５Ａにあるときのヘッドメンテナンス機構４２ｂおよび経路切替部材２００を示す説明図である。また、図９はインクジェットヘッド４２ａのノズル面４２ｃがノズルキャップ６２によってキャッピングされて経路切替部材２００が第２位置２００Ｂに切り替わっている状態を示す概略構成図であり、図１０はノズルキャップ６２が後退位置にある状態を示す概略構成図であり、図１１は封鎖位置６５Ａに移動したシャッター６５によってノズルキャップ６２が封鎖されて経路切替部材２００が第１位置２００Ａに切り替わっている状態を示す概略構成図である。
【００６６】
これらの図を参照して説明すると、インクジェットヘッド４２ａは、そのノズル面４２ｃが小切手経路Ｐ１の後側経路Ｐ１２上を搬送される小切手Ｓ１の印刷面と対向するように配置されている。インクジェットヘッド４２ａはライン型のインクジェットヘッドであり、与えられる印刷データに基づいてノズル面４２ｃに形成されている複数のノズルから小切手Ｓ１の印刷面にインク液滴を吐出することにより、当該印刷面に印刷を行う。
【００６７】
ノズルキャップ６２は、その開口部６２Ｂがインクジェットヘッド４２ａのノズル面４２ｃに対向する状態でノズルキャップ収納部６３内に配置されている。ノズルキャップ収納部６３は後側経路Ｐ１２の側に開口部６３Ａを備えており、ここを介して、ノズルキャップ６２がノズル面４２ｃに接近する方向に突出してノズル面４２ｃのキャッピングを行う。すなわち、ノズルキャップ６２は、キャッピング駆動機構６４による駆動力によって、開口部６２Ｂがインクジェットヘッド４２ａのノズル面４２ｃから離れる方向およびノズル面４２ｃに近づく方向に移動可能である。ノズルキャップ収納部６３の開口部６３Ａは、小切手搬送用の後側経路Ｐ１２におけるインクジェットヘッド４２ａのノズル面４２ｃに対峙している部分はガイド開口部６８Ａとなっており、ここにノズルキャップ収納部６３の開口部６３Ａが位置している。ガイド開口部６８Ａの上流側には後側経路Ｐ１２の一方のガイド面を規定しているガイド部材６８が配置されており、その下流側にはシャッター６５および経路切替部材２００が配置されている。
【００６８】
ノズルキャップ６２は、小切手処理装置１が電源オフの状態にあるとき、あるいは、電源が投入されてからも印刷部４２による印刷動作が開始されるまでは、図９に示すキャッピング位置にある。この状態では、インクジェットヘッド４２ａのノズル面４２ｃはノズルキャップ６２によって封止されて保湿状態に維持されている。
【００６９】
印刷部４２による印刷動作が開始されると、ノズルキャップ６２は、キャッピング位置から図１０に示す後退位置まで後退する。しかる後に、図１１に示すように、封鎖解除位置６５Ｂに待機しているシャッター６５が、ガイド開口部６８Ａを封鎖する位置、すなわち、ノズルキャップ収納部６３の開口部６３Ａを封鎖する封鎖位置６５Ａまでスライドする。次に、ノズルキャップ６２が当該シャッター６５の背面に当接するキャッピング解除位置まで前進する。これにより、ノズルキャップ６２が封鎖された状態になる。
【００７０】
ここで、シャッター６５が封鎖解除位置６５Ｂから封鎖位置６５Ａにスライドすると、このスライドに連動して、図１０に示すように第２位置２００Ｂに待機していた経路切替部材２００が、図１１に示すように第１位置２００Ａに切り替わる。この結果、後側経路Ｐ１２が下流側経路Ｐ１３に連通して小切手Ｓ１の搬送経路が形成される。また、インクジェットヘッド４２ａのノズル面４２ｃに対峙しているシャッター６５のシャッター表面６５ａは小切手Ｓ１のプラテン面（ガイド面）として機能し、経路切替部材２００における後側経路Ｐ１２に面している小切手ガイド面２０１（第１表面）がシャッター６５のシャッター表面６５ａに滑らかに連続すると共に、下流側経路Ｐ１３における同一側のガイド面６９ａに滑らかに連続した状態になる。
【００７１】
印刷部４２が小切手Ｓ１の印刷を終了した後に次の小切手Ｓ１が搬送されるのを待つ休止状態で一定時間が経過したとき、あるいは、電源オフなどにより小切手処理装置１の動作が停止したときには、ノズルキャップ６２は、再び図９に示すキャッピング位置に移動して、インクジェットヘッド４２ａのノズル面４２ｃをキャッピングする。この場合においては、シャッター６５が封鎖位置６５Ａから封鎖解除位置６５Ｂに移動する。シャッター６５が移動すると、これに連動して経路切替部材２００が第１位置２００Ａから第２位置２００Ｂに切り替わり、後側経路Ｐ１２と下流側経路Ｐ１３の間が遮断され、代わりに、カード経路１００と下流側経路Ｐ１３が連通して、カードＣのスキャン用の経路が形成された状態になり、カードＣのスキャンが可能になる。この状態では、図９から分かるように、経路切替部材２００におけるカード経路１００の側に形成されているカードガイド面２０２が、下流側経路Ｐ１３における同一側のガイド面６９ｂに滑らかに連続した状態になる。
【００７２】
このように、小切手Ｓ１の印刷中にはノズルキャップ６２の開口部６２Ｂがシャッター６５によって封鎖されているので、ノズルキャップ６２の内部はシャッター６５によって外部空間から遮蔽される。すなわち、シャッター６５はノズルキャップ６２の開口部６２Ｂを封鎖して、その内部を保湿状態に維持するためのキャップカバーとして機能する。
【００７３】
また、シャッター６５は、図１１に示すように、小切手Ｓ１の搬送時（あるいは逆搬送時）には、その封鎖位置６５Ａにおいて、ノズル面４２ｃに対峙しているガイド開口部６８Ａとノズルキャップ収納部６３の開口部６３Ａを遮蔽する遮蔽部材として機能する。同時に、そのシャッター表面６５ａが、小切手Ｓ１の印刷位置を規定するガイド面（プラテン面）としても機能する。よって、紙詰まり等が発生しにくく、円滑な搬送が可能となる。
【００７４】
なお、シャッター６５を、ノズルキャップ６２に接近する方向に移動して、ノズルキャップ６２の開口縁６２Ａに当接させて、当該ノズルキャップ６２の封鎖状態を形成することも可能である。
【００７５】
次に、図１２は、制御部６１の制御の下に行われるヘッドメンテナンス機構４２ｂのノズルキャップ６２およびシャッター６５の動作と、経路切替部材２００の動作とを中心に示す印刷動作のフローチャートである。印刷開始前においては、各部は図９に示す状態にある。印刷開始とともに、キャッピング駆動機構６４によってノズルキャップ６２が図９に示すキャッピング位置から図１０に示す後退位置まで移動する（ステップＳＴ１）。
【００７６】
シャッター駆動機構６６によりシャッター６５が図１０に示す封鎖解除位置６５Ｂから図１１に示す封鎖位置６５Ａまでスライドする（ステップＳＴ２）。また、シャッター６５のスライドに連動して経路切替部材２００が第２位置２００Ｂから図１１に示す第１位置２００Ａに切り替わる。この結果、後側経路Ｐ１２と下流側経路Ｐ１３が連通して小切手の搬送経路が形成される。この後は、後退位置にあるノズルキャップ６２が、キャッピング駆動機構６４によって、シャッター６５の背面に当接する位置まで移動する（ステップＳＴ３）。この状態で、小切手Ｓ１の印刷が開始される（ステップＳＴ４）。
【００７７】
小切手Ｓ１の印刷が終了すると（ステップＳＴ５）、制御部６１は、印刷終了からの時間をカウントする（ステップＳＴ６）。カウント時間が予め設定した時間に達する前に再び印刷が始まると（ステップＳＴ７：ＹＥＳ）、カウント時間はリセットされて再び小切手Ｓ１の印刷が開始される（ステップＳＴ４）。
【００７８】
カウント時間が予め設定した時間に達すると（ステップＳＴ７：ＮＯ）、ノズルキャップ６２がキャッピング駆動機構６４によってシャッター６５の背面に当接している位置（図１１）から後退位置（図１０）まで移動し（ステップＳＴ８）、シャッター駆動機構６６によりシャッター６５が封鎖位置６５Ａ（図１１）から封鎖解除位置６５Ｂ（図１０）までスライドする（ステップＳＴ９）。また、シャッター６５に連動して、経路切替部材２００が第１位置２００Ａ（図１１）から第２位置２００Ｂ（図１０）に切り替わる。この結果、後側経路Ｐ１２と下流側経路Ｐ１３の間が遮断され、代わりに、カード経路１００が下流側経路Ｐ１３に連通して、カードＣの搬送経路が形成される。この後は、キャッピング駆動機構６４がノズルキャップ６２を後退位置からキャッピング位置まで前進させることにより、ノズル面４２ｃがノズルキャップ６２によって封止される（ステップＳＴ１０）。
【００７９】
（キャッピング駆動機構およびシャッター駆動機構の例）
図１３はノズルキャップ６２およびシャッター６５を駆動する駆動制御機構の一例を示す概略構成図であり、ノズルキャップ６２がキャッピング位置にあり、シャッター６５が封鎖解除位置にある状態を示してある。図１４は、図１３に示す駆動制御機構を小切手搬送路である後側経路Ｐ１２の反対側から見た場合の概略構成図である。駆動制御機構７０はキャッピング駆動機構６４Ａとシャッター駆動機構６６Ａを有している。キャッピング駆動機構６４Ａは、駆動モーター７１（キャップモーター）と、駆動モーター７１の出力回転をノズルキャップ６２の後退位置からキャッピング位置までの間の直線往復運動に変換する円筒カム７２を備えている。シャッター駆動機構６６Ａは、円筒カム７２の回転をシャッター６５の封鎖位置から封鎖解除位置までの間の直線往復運動に変換する間欠歯車７３およびラック・ピニオン７４を備えている。
【００８０】
制御部６１の制御の下に、駆動制御機構７０は、ノズルキャップ６２によるノズルキャッピング動作、シャッター６５によるノズルキャップ収納部６３の開口部６３Ａの遮蔽動作、および、シャッター６５によるノズルキャップ封鎖動作を次のように行う。まず、ノズルキャップ６２がキャッピング位置にある状態、および、ノズルキャップ６２がキャッピング位置から後退位置に移動するまでの間は、シャッター６５を封鎖解除位置に保持する。また、ノズルキャップ６２が後退位置に戻るとシャッター６５を封鎖解除位置から封鎖位置に移動して、ノズルキャップ収納部６３の開口部６３Ａを封鎖する。さらに、シャッター６５が封鎖位置にある状態では、ノズルキャップ６２をシャッター６５の背面に当接する位置まで前進させてノズルキャップ６２の封鎖状態を形成する。
【００８１】
詳細に説明すると、キャッピング駆動機構６４Ａは、駆動モーター７１（キャップモーター）の出力回転を減速して円筒カム７２に伝達する減速歯車列７５を備えている。円筒カム７２は、外周面に沿って円周方向にカム溝７６が形成されている水平に配置された円筒部７７と、この円筒部７７の一方の端に同軸状態に一体形成した大径の間欠歯車７３ａと、円筒部７７の他方の端に同軸状態に一体形成した小径の間欠歯車７３ｂとを備えている。間欠歯車７３ａ、７３ｂは、所定の角度範囲に亘って外歯が形成されていない外歯欠如部分を備えた歯車である。
【００８２】
円筒カム７２のカム溝７６には、下側から垂直に延びているカムフォロワーとしての垂直ピン７８がスライド可能な状態で挿入されている。垂直ピン７８は、ノズルキャップ６２の上端面に一体形成されており、ノズルキャップ６２は、不図示のノズルキャップ収納部６３によって、円筒カム７２の中心軸線の方向に往復直線移動可能な状態で支持されている。円筒カム７２が回転すると、そのカム溝７６に挿入されている垂直ピン７８は円筒カム７２の中心軸線の方向に移動し、垂直ピン７８が取り付けられているノズルキャップ６２も同一方向に移動する。ノズルキャップ６２が、ノズルキャップ収納部６３に収納されている後退位置からキャッピング位置までの間を移動するように、円筒カム７２のカム溝７６が形成されている。
【００８３】
一方、シャッター駆動機構６６Ａは、円筒カム７２の小径の間欠歯車７３ｂに噛み合っている伝達歯車列８０を備えている。伝達歯車列８０の最終段歯車８１には駆動側傘歯車８２が同軸状態に取り付けられており、駆動側傘歯車８２には、垂直軸線回りに回転する従動側傘歯車８３が噛み合っている。従動側傘歯車８３が上端に取り付けられている垂直軸８４は、シャッター６５の背面に沿って垂直に延びている。この垂直軸８４の上下の部位には一対のピニオン７４ａが同軸状態に取り付けられている。これらのピニオン７４ａはシャッター６５の背面に形成されている一対のラック７４ｂに噛み合っている。
【００８４】
円筒カム７２が回転してノズルキャップ６２が移動すると、これに所定の同期をとってピニオン７４ａが所定の方向に回転し、これに噛み合っているラック７４ｂが小切手搬送用の後側経路Ｐ１２に沿った方向に直線往復移動し、ラック７４ｂが形成されているシャッター６５がノズルキャップ収納部６３の開口部６３Ａを遮蔽した封鎖位置から封鎖解除位置までの間を直線往復移動する。
【００８５】
図１５は円筒カム７２のカム溝７６を規定しているカム面７６Ａを示す斜視図であり、図１６は円筒カム７２の回転角に対するノズルキャップ６２の位置（キャッピング位置）およびシャッター６５の位置（シャッターストローク）を示す円筒カム線図である。本例の駆動制御機構７０では、円筒カム７２の位相（回転角）により、ノズルキャップ６２およびシャッター６５の位置が決まるようになっている。また、本例では、円筒カム７２が原点位置（回転角０°）から時計方向（ＣＷ）に５０°回転した位置が待機位置であり、２９７°回転した位置が印刷実行位置である。
【００８６】
待機位置では、ノズルキャップ６２がインクジェットヘッド４２ａのノズル面４２ｃを覆っているキャッピング位置にあり、シャッター６５が封鎖解除位置にある。印刷実行位置では、シャッター６５が封鎖位置にあり、このシャッター６５の背面にノズルキャップ６２が当接した封鎖位置にある。なお、図１６においては、ノズルキャップ６２の位置を、後退位置を「０：オープン」、キャッピング位置を「９：クローズ」として示してある。また、シャッター６５の位置を、非封鎖位置から封鎖方向へのストローク量（ｍｍ）で示してあり、封鎖解除位置をストローク量が「０」のシャッター開ポジションとして示し、封鎖位置をシャッター閉ポジションとして示してある。
【００８７】
図１７は印刷開始後の各部の動作を示す概略フローチャートである。また、図１８は円筒カム７２が５０°の位置にある状態を示す説明図であり、図１９は円筒カム７２が１６０°の位置にある状態を示す説明図であり、図２０は円筒カム７２が２９７°の位置にある状態を示す説明図である。
【００８８】
図１７のフローチャートに従って各部の動作を説明する。印刷開始前の待機状態においては、円筒カム７２が５０°の待機位置にあり（図１８参照）、ノズルキャップ６２によってインクジェットヘッド４２ａのノズル面４２ｃがキャッピングされており（キャップクローズポジション）、シャッター６５が封鎖解除位置にある（シャッター開ポジション）。
【００８９】
印刷動作の開始指令を受けると、例えば、制御部６１（図９〜図１１参照）が上位のコンピューターから印刷開始指令を受けると、動作１が開始する。動作１では、図１６から分かるように、例えば駆動モーター７１が時計方向（ＣＷ）に回転駆動して、円筒カム７２が５０°から９５°まで回転し、この間に、ノズルキャップ６２がキャッピング位置から後退位置に向けて所定量後退し、シャッター６５は封鎖解除位置（シャッター開ポジション）に保持される。
【００９０】
円筒カム７２が９５°の回転位置に至ると動作２が開始され、円筒カム７２が１６０°の位置まで回転する間にフラッシングが行われる。フラッシングは、インクジェットヘッド４２ａの各ノズルからインク液滴をノズルキャップ６２に向けて吐出しノズル内の増粘したインクを排出する動作であり、これによって不良状態にあるノズルを回復させる。円筒カム７２が１６０°の位置に至ると、ノズルキャップ６２が後退位置に至る（キャップ開ポジション、図１９参照）。
【００９１】
円筒カム７２が１６０°の回転位置に至った後は動作３が開始される。動作３においては円筒カム７２が１６０°の位置から２９７°の位置に向けて回転する。動作３において、ノズルキャップ６２は後退位置に保持される。シャッター６５は封鎖解除位置から封鎖位置に向けてスライドし、円筒カム７２が２７５°の回転位置に至ると、ノズルキャップ収納部６３の開口部６３Ａを完全に遮蔽した遮蔽位置に至る。また、その手前の円筒カム７２が２６０°の回転位置を通過した時点から、後退位置にあるノズルキャップ６２が前進して封鎖位置にあるシャッター６５の背面に当接したノズルキャップ６２の封鎖状態が形成される（キャップ当接ポジション、図２０参照）。
【００９２】
円筒カム７２が２９７°の回転位置に至った後は、動作４が開始される。すなわち、印刷動作が実行され、印刷位置を通過する小切手Ｓ１の裏面にインクジェットヘッド４２ａによって裏書印刷が行われる。
【００９３】
印刷が終了した後は動作５が開始される。動作５では、例えば駆動モーター７１（キャップモーター）が反時計方向（ＣＣＷ）に回転され、円筒カム７２が待機位置である５０°の回転位置まで戻る。これにより、まず、ノズルキャップ６２がシャッター６５の背面に当接している位置から後退位置に向けて後退する。次に、シャッター６５が封鎖位置から封鎖解除位置に向けてスライドを開始する。シャッター６５が封鎖解除位置にスライドした後に、ノズルキャップ６２が後退位置から、ノズルキャップ収納部６３の開口部６３Ａを通って、キャッピング位置に向けて前進して、インクジェットヘッド４２ａのノズル面４２ｃを封止した状態に戻る（図１８参照）。
【００９４】
このように本例の駆動制御機構７０では、単一の駆動モーター７１（キャップモーター）によって、間欠歯車７３および円筒カム７２を回転させ、ノズルキャップ６２およびシャッター６５を所定の同期をとって動作させることができる。よって、キャッピング駆動機構６４およびシャッター駆動機構６６をコンパクトに構成できる。
【００９５】
（シャッター６５と経路切替部材２００の連動機構の例）
図２１は、シャッター６５のスライドに連動させて経路切替部材２００を第１位置２００Ａおよび第２位置２００Ｂに切り替えるための連動機構の一例を示す説明図である。シャッター６５に連動させて経路切替部材２００の位置を切り替える連動機構としては各種の構造を採用することができ、以下に述べる構造に限定されるものではない。
【００９６】
図２１に示す例では、経路切替部材２００はプラスチック成形品からなり、予め定めた旋回軸２０３を中心として旋回して、第１位置２００Ａおよび第２位置２００Ｂに切り替わる。経路切替部材２００には、旋回軸２０３から半径方向に離れた位置に、当該旋回軸２０３と平行に延びるカムピン２０４が一体成形されている。
【００９７】
経路切替部材２００とシャッター６５の間には旋回部材９１が配置されている。旋回部材９１には、旋回軸２０３と平行に延びる旋回軸部９２が形成されており、当該旋回軸部９２を中心として旋回可能である。旋回軸部９２には、そこから半径方向に突出した旋回腕９３が一体形成されており、当該旋回腕９３における旋回中心線９２ａに沿った方向（図示の例では上方）を向いている表面にカム溝９４が形成されている。このカム溝９４には、経路切替部材２００の側に形成されているカムピン２０４の先端部がスライド可能な状態で差しこまれている。
【００９８】
ここで、旋回部材９１の旋回軸部９２には捩りコイルバネ９５が取り付けられており、当該捩りコイルバネ９５のバネ力によって旋回部材９１の旋回腕９３の側面９３ａが常にシャッター６５に当接した状態に保持されている。すなわち、シャッター６５に対して封鎖解除位置６５Ｂから封鎖位置６５Ａに向かうバネ力によって、旋回部材９１の旋回腕９３の側面９３ａが常に押し付けられている。
【００９９】
シャッター６５が図２１に示す封鎖位置から矢印９６で示す封鎖解除位置に向かう方向にスライドすると、シャッター６５のスライド方向の先端部６５ｂによって旋回部材９１がバネ力に逆らって同一方向に旋回する。旋回部材９１が旋回すると、そのカム溝９４を規定している溝内周面に形成したカム面９４ａによってカムピン２０４が押され、当該カムピン２０４がカム面９４ａに沿って移動する。この結果、カムピン２０４が一体形成されている経路切替部材２００が旋回軸２０３を中心として、図２１に示す第１位置２００Ａから第２位置２００Ｂに向けて旋回する。シャッター６５が封鎖解除位置６５Ｂに移動すると、経路切替部材２００が第２位置２００Ｂに位置決めされる。
【０１００】
次に、捩りコイルバネ９５のバネ力によって旋回部材９１はシャッター６５に押し付けられている。また、カムピン２０４とカム溝９４からなるカム機構を介して、旋回部材９１は経路切替部材２００に連結されている。したがって、シャッター６５が封鎖解除位置６５Ｂから図２１に示す封鎖位置にスライドすると、これに追従して、バネ力によって旋回部材９１がスライド方向に旋回する。この結果、旋回部材９１のカム面９４ａによって経路切替部材２００のカムピン２０４が押され、当該経路切替部材２００が第２位置２００Ｂから図２１に示す第１位置２００Ａに旋回して、当該第１位置２００Ａに切り替わる。
【符号の説明】
【０１０１】
Ｓ１・・小切手、Ｓ２・・連続紙、Ｒ・・ロール紙、Ｐ１・・小切手経路、Ｐ１１・・上流側経路、Ｐ１２・・後側経路、Ｐ１３・・下流側経路、Ｐ２・・連続紙搬送路、Ｃ・・カード、Ｘ・・装置幅方向、Ｙ・・装置前後方向、Ｚ・・装置上下方向、１・・小切手処理装置、１ａ・・装置筐体、２・・下側筐体部、３・・上側筐体部、４・・入口ポケット、４ａ・・小切手挿入口、５・・回収ポケット、５ａ・・小切手排出口、６・・右側筐体部分、７・・後側筐体部分、８・・左側筐体部分、９・・内側筐体部分、１１・・前側カバー、１２・・後側カバー、１３・・レシート発行口、１４・・操作面、１４ａ・・操作スイッチ、１４ｂ・・ＬＥＤ表示部、１５・・カード挿入路、１６・・ロール紙収納部、１７・・オートカッター、１７ａ・・固定刃、１７ｂ・・可動刃、１７ｃ・・駆動ユニット、１８・・インクカートリッジ装着部、１９・・インクカートリッジ、２０・・装置上面部分、２１・・カードスロット、２２・・送り出しモーター、３０ａ・・給紙ローラー、３０ｂ・・押圧部材、３１ａ・・リタードローラー、３１ｂ・・送り出しローラー、３２，３３，３４，３５，３６・・搬送ローラー対、３２ａ，３３ａ，３４ａ，３５ａ，３６ａ・・駆動ローラー、３２ｂ，３３ｂ，３４ｂ，３５ｂ，３６ｂ・・従動ローラー、３７・・無端ベルト、４０・・駆動モーター、４１・・磁気読取部、４１ａ・・磁気スキャナー、４１ｂ・・押し付けローラー、４２・・印刷部、４２ａ・・インクジェットヘッド、４２ｂ・・ヘッドメンテナンス機構、４２ｃ・・ノズル面、４３・・光学式読取部、４３ａ，４３ｂ・・光学スキャナー、５１・・底板、５２・・ヒンジ、５３・・紙ガイド、５４・・連続紙印刷部、５４ａ・・サーマルヘッド、５４ｂ・・プラテンローラー、５７・・カードセンサー、６０・・基板、６１・・制御部、６２・・ノズルキャップ、６２Ａ・・開口縁、６２Ｂ・・開口部、６３・・ノズルキャップ収納部、６３Ａ・・開口部、６４，６４Ａ・・キャッピング駆動機構、６５・・シャッター、６５Ａ・・封鎖位置、６５Ｂ・・封鎖解除位置、６５ａ・・シャッター表面、６５ｂ・・先端部、６６，６６Ａ・・シャッター駆動機構、６８・・ガイド部材、６９ａ，６９ｂ・・ガイド面、７０・・駆動制御機構、７１・・駆動モーター、７２・・円筒カム、７３，７３ａ，７３ｂ・・間欠歯車、７４・・ラック・ピニオン、７４ａ・・ピニオン、７４ｂ・・ラック、７５・・減速歯車列、７６・・カム溝、７７・・円筒部、７８・・垂直ピン、８０・・伝達歯車列、８１・・最終段歯車、８２・・駆動側傘歯車、８３・・従動側傘歯車、８４・・垂直軸、９１・・旋回部材、９２・・旋回軸部、９２ａ・・旋回中心線、９３・・旋回腕、９３ａ・・側面、９４・・カム溝、９４ａ・・カム面、９５・・捩りコイルバネ、１００・・カード経路、２００・・経路切替部材、２００Ａ・・第１位置、２００Ｂ・・第２位置、２０１・・小切手ガイド面、２０２・・カードガイド面、２０３・・旋回軸、２０４・・カムピン
【図１】
2013056491.tif 000003
【図２】
2013056491.tif 000004
【図３】
2013056491.tif 000005
【図４】
2013056491.tif 000006
【図５】
2013056491.tif 000007
【図６】
2013056491.tif 000008
【図７】
2013056491.tif 000009
【図８】
2013056491.tif 000010
【図９】
2013056491.tif 000011
【図１０】
2013056491.tif 000012
【図１１】
2013056491.tif 000013
【図１２】
2013056491.tif 000014
【図１３】
2013056491.tif 000015
【図１４】
2013056491.tif 000016
【図１５】
2013056491.tif 000017
【図１７】
2013056491.tif 000018
【図１８】
2013056491.tif 000019
【図１９】
2013056491.tif 000020
【図２０】
2013056491.tif 000021
【図２１】
2013056491.tif 000022
【図１６】
2013056491.tif 000023